(57)【特許請求の範囲】
【請求項１】
表示部を有する第１筐体と、一端側が当該第１筐体の端部に回動可能に連結される第２筐体とを有して、前記第１筐体を前記第２筐体に対して回動させたときに前記表示部の表示面が前記第２筐体に対して傾斜した状態となる携帯端末装置を載置可能な載置部が本体部に配設された携帯端末装置の置台において、
前記載置部に設けられて前記第２筐体を保持する保持部と、
前記第１筐体を前記第２筐体に対して回動させて前記第２筐体を前記保持部に保持させた状態で、前記表示面上での前記第1筐体の長手方向軸線が略水平状態となり、同短手方向軸線が水平状態に対して傾斜された所定の状態となるように前記本体部を支持する支持機構とを備え、
前記支持機構は、前記保持部に保持された前記第２筐体の幅方向の一方側が同幅方向の他方側に対して上方となり且つ前記第２筐体の他端側が前記一端側に対して上方となる傾斜状態で前記本体部を支持する支持部材と、前記第２筐体の一端側の前記幅方向の前記他方側に対応して前記本体部に形成されて、前記本体部が前記傾斜状態であるときに水平となる支持底面と、を備え、前記支持部材と前記支持底面とによる前記傾斜状態での前記本体部の支持により、前記第１筐体を前記所定の状態とする
ことを特徴とする携帯端末装置の置台。
【請求項２】
前記支持部材は、前記本体部とは別体に構成され、前記本体部は、前記支持部材を収納する収納部を有する
ことを特徴とする請求項１に記載の携帯端末装置の置台。
【発明の詳細な説明】
【技術分野】
【０００１】
本発明は、携帯端末装置を充電する場合やその他の場合に当該端末装置を置く携帯端末装置の置台に関するものである。
【背景技術】
【０００２】
携帯電話機等の携帯端末装置においては、その多機能化の進展に伴って、その表示画面には種々の通信情報が表示される。そして、このような表示画面は、携帯端末装置を手で持ちながら見るのが普通であるが、携帯端末装置を長時間見続ける場合は充電置台等の上に置いて、充電している間とか、充電していないときでも見ることができれば便利である。
【０００３】
このため、このような使い方ができる充電置台が従来からあった（例えば、特許文献１参照）。この従来の充電置台は、携帯端末装置を載置した状態で充電置台を傾けた状態に維持することにより、携帯端末装置の筐体背面部のサブ表示部（サブディスプレイ）の視認性を向上できるようにしたものである。
【特許文献１】特開２００３−３１９０４８号公報
【発明の開示】
【発明が解決しようとする課題】
【０００４】
このような従来の携帯端末装置の充電置台にあっては、携帯端末装置が開閉式のもの、例えばその筐体が２つに分かれていて、折畳んで閉じたり、或は逆に開いたりできる折畳み型携帯電話機１０を充電するものであって、折畳まれた閉状態で充電置台に載置させたときに、その筐体の背面に設けられたサブ表示部の視認性を向上させることができるようになっていた。
【０００５】
しかしながら、図６に示すように、その２つの筐体１４と１８を最大に開いたときに、その２つの筐体がヒンジ１５で折曲がってくの字の状態となっているような折畳み型携帯電話機１０の場合には、２つの筐体１４,１８を最大に開いた状態（開状態）でその一方の操作部１２を有する第２筐体１４を横にして充電置台の上に載置し、図７に示すように、その折畳み型携帯電話機１０の第２筐体１４が図示しない充電置台の上で例えば５０゜位傾いた状態に支持されていると、図８に示すように、他方のメイン表示部１６（メインディスプレイ）を有する第１筐体１８が三軸（Ｘ，Ｙ，Ｚの）方向において傾いてしまい、その筐体１８のメイン表示部１６の視認性を向上させることができない。
【０００６】
例えば、近年は携帯端末装置がテレビ画像を受像できる機能を有するものが出てきているが、メイン表示部にテレビ画面を表示させて見たい場合は、携帯端末装置を手に持ったまま長時間テレビ画面を見続けるのは大変であり、といって携帯端末装置を机の上に単に置いただけではテレビ画面が表示されるメイン表示部が真上に向いた状態となって見にくいので、メイン表示部を見易くするためには置台の上に傾けて載置することが考えられる。
【０００７】
このような場合であって、上記従来の充電置台では、その２つの筐体１４と１８を開いたときにその２つの筐体がヒンジ１５で折曲がってくの字の状態となっている場合は、そのメイン表示部の横方向の長辺が水平方向に対して傾いてしまうので、その視認性が著しく低下するという問題があった。
【０００８】
そこで本発明は、上記問題点に鑑みて、携帯端末装置を置台上に載置させた状態で見るメイン表示部の視認性を向上させることができる携帯端末装置の置台を提供することを課題とするものである。
【課題を解決するための手段】
【０００９】
上記課題を解決するために、本発明の携帯端末装置の置台は、
表示部を有する第１筐体と、一端側が当該第１筐体の端部に回動可能に連結される第２筐体とを有して、前記第１筐体を前記第２筐体に対して回動させたときに前記表示部の表示面が前記第２筐体に対して傾斜した状態となる携帯端末装置を載置可能な載置部が本体部に配設された携帯端末装置の置台において、
前記載置部に設けられて前記第２筐体を保持する保持部と、
前記第１筐体を前記第２筐体に対して回動させて前記第２筐体を前記保持部に保持させた状態で、前記表示面上での前記第1筐体の長手方向軸線が略水平状態となり、同短手方向軸線が水平状態に対して傾斜された所定の状態となるように前記本体部を支持する支持機構とを備え、
前記支持機構は、前記保持部に保持された前記第２筐体の幅方向の一方側が同幅方向の他方側に対して上方となり且つ前記第２筐体の他端側が前記一端側に対して上方となる傾斜状態で前記本体部を支持する支持部材と、前記第２筐体の一端側の前記幅方向の前記他方側に対応して前記本体部に形成されて、前記本体部が前記傾斜状態であるときに水平となる支持底面と、を備え、前記支持部材と前記支持底面とによる前記傾斜状態での前記本体部の支持により、前記第１筐体を前記所定の状態とする
ことを特徴とするものである。
【００１３】
また、本発明による携帯端末装置の置台における前記支持部材は、前記本体部とは別体に構成され、前記本体部は、前記支持部材を収納する収納部を有することを特徴とするものである。
【発明の効果】
【００１４】
このような本発明の携帯端末装置の置台によれば、携帯端末装置を置台上に載置させた状態で見る表示部の視認性を向上させることができる。
【発明を実施するための最良の形態】
【００１５】
以下、本発明に係る携帯端末装置の置台を実施するための最良の形態について、図面に基づいて具体的に説明する。
図１ないし図５は、本発明の一実施の形態に係る携帯端末装置の充電置台２０について説明するために参照する図である。従来と同様の部分には同一の符号を用いて説明するものとする。
【００１６】
本実施の形態に係る携帯端末装置の充電置台２０は、例えば図１に示すように、折畳み型携帯電話機１０（携帯端末装置）を載置してそれを充電するために用いられるものである。この折畳み型携帯電話機１０は、ヒンジ１５を介して互いに回動自在に連結される第１筐体１８と第２筐体１４とを備えている。第１筐体１８はメイン表示部１６（表示面）を有し、第２筐体１４はテンキーなどにより構成される操作部１２を有している。
【００１７】
充電置台２０は、その本体２０ａの載置部２１に設けられた保持部２２に折畳み型携帯電話機１０の第２筐体１４を保持させることにより、その本体部２０ａに設けられている充電端子（図示せず）を折畳み型携帯電話機１０の図示しない充電端子に接触させて充電するようになっている。このとき、折畳み型携帯電話機１０の第１筐体１８は、ヒンジ１５を介して回動可能であり、開状態では充電置台２０の上から外側に突出して配置されるようになっている。
【００１８】
充電置台２０は上から見ると矩形に形成されており、その底部の、折畳み型携帯電話機１０が載置された状態でヒンジ１５が位置する側の２つの隅部には、後述するような機能をもたせるための傾斜面２３（支持底面、傾斜機構、支持機構）が形成されている。
【００１９】
また、図２に示すように、充電置台２０の底面には溝２５が形成されており、この溝２５には、図５に示すような支持部材２７（傾斜機構、支持機構）に形成された凹部２７ａの内側に形成された、凸条部２７ｂが嵌合することにより、後述するようにこの支持部材２７により充電置台２０を傾けて保持できるようになっている。
【００２０】
詳細には、充電置台２０の底面に形成される溝２５は、その充電置台２０の長手方向と垂直な方向に延設されている。また、支持部材２７は、水平方向に対して傾斜した凹部２７ａが形成されており、この凹部２７ａを形成して本体部２０ａが挿し込まれた際に本体部２０ａの底面を支持する傾斜面２７ｃには、本体部２０ａに形成された溝２５に嵌合される凸条部２７ｂが形成されている。そして、この凸条部２７ｂは、支持部材２７の幅方向に対して傾斜するように設けられている。
【００２１】
そして、これら凸条部２７ｂと溝２５とが互いに嵌合するように本体部２０ａの右側部を支持部材２７の凹部２７ａへ図２及び図５に示す矢印Ａの方向に差し込むと、支持部材２７の凸条部２７ｂが幅方向に傾斜（凸条部２７ｂが溝２５に嵌合した際に、凸条部２７ｂの上端が下端に対して本体部２０ａの長手方向におけるヒンジ部１５が位置する側に傾斜）して傾斜面２７ｃに配設されているため、支持部材２７は、図３に示すように、本体部２０ａの後端側（図３における左端側）及び左側部（図３における奥側側部）が上方となるように本体部２０ａを傾斜させた状態で支持することとなる。また、傾斜面２７ｃは、本体部２０ａの底面を支持する際に本体部２０ａの後端側及び左側部が上方となって本体部２０ａが傾斜されるように傾斜して形成されている。
【００２２】
なお、傾斜面２７ｃに形成される凸条部２７ｂを幅方向に傾斜させずに形成する場合には、本体部２０ａの底面に形成される溝２５を図２に破線で示されるように、長手方向に対して傾斜して形成すればよい。
【００２３】
このように、折畳み型携帯電話機１０を載置した充電置台２０を、図５に示す支持部材２７の凹部２７ａの内側に、矢印Ａ方向に挿し込んで、このとき充電置台２０の溝２５を支持部材２７の凸条部２７ｂに嵌合させると、図３，４に示すように、支持部材２７は携帯電話機１０を載置した充電置台２０を傾けて保持することができる。
【００２４】
そして、このように充電置台２０を傾けて保持した支持部材２７を机等の上面に置くと、充電置台２０の底面の２つの傾斜面２３のうちの一方が略水平となってその上面に接触するようになっている。このため、本体部２０ａの載置部２１に設けられた保持部２２に第２筐体１４が保持された状態では第２筐体１４の幅方向の一方側（図中向こう側）が他方側（図中手前側）に対して上方に、及び第２筐体１４の他端側（図中左端側）がヒンジ１５の位置する側（図中右端側）に対して上方に傾斜される（傾斜状態）ようになっている。
【００２５】
充電置台２０がこのような状態に保持されることにより、図３に示すように、携帯電話機１０の第１筐体１８のメイン表示部１６はその横方向の長辺を略水平状態にすることができ、その縦方向の短辺が水平状態に対して傾斜された状態（所定の状態）で本体部２０ａが支持される、即ち、メイン表示部１６の表示面が水平状態に対して第１筐体１８の幅方向に傾斜された状態で本体部２０ａが支持される、即ち、メイン表示部１６の表示面上での第1筐体１８の長手方向軸線ａが略水平状態となり、同じくメイン表示部１６の表面上での第１筐体１８の短手方向軸線ｂが水平状態に対して傾斜された状態で本体部２０ａが支持されるので、テレビ画面を表示するメイン表示部１６を見易い姿勢にして見易い角度に傾かせることができる。
【００２６】
また、図４に示すように、充電置台２０の裏側の傾斜面２３と反対側の端部には、支持部材２７を使わないときにそれを収納するための収納部２８が形成されている。
また、充電置台２０の傾斜面２３側の端面には、電源コードのコネクタが挿入される挿入口３０が開口するように形成されている。
【００２７】
このように構成された、本実施の形態に係る充電置台２０によれば、折畳み型携帯電話機１０をその上に載置させた状態で見るメイン表示部１６を見易い姿勢にして見易い角度に傾かせることができるので、そのメイン表示部１６の視認性を格段に向上させることができる。
【００２８】
また、図４に示すように、充電置台２０の裏側の傾斜面２３と反対側の端部には、本体部２０ａと別体に構成される支持部材２７を収納するための収納部２８が形成されているので、支持部材２７を使わないときはそれをこの収納部２８内に収納して、支持部材２７が紛失するのを防止することができる。
また、充電しながらテレビ画面を見ることができるので、バッテリー切れを心配することなくテレビを長時間見続けることができる。
【００２９】
また、折畳み型携帯電話機１０のヒンジ１５には、従来からあるヒンジを使用することができるので、容易に実施できると共に、携帯電話機１０がコストアップを招くことを防止することができる。
また、折畳み型携帯電話機１０の外観はそのままでよく、一切の変化を加える必要がないので、携帯電話機１０のデザイン性や携帯性を損ねるおそれが全く無い。
【００３０】
なお、前記実施の形態においては折畳み型携帯電話機１０を充電するための充電置台２
０について説明したが、そのような充電置台２０の代わりに、折畳み型携帯電話機１０を充電しない単なる置台を用いてもよい。
【００３１】
また、前記実施の形態では、折畳み型携帯電話機１０の充電置台２０に本発明を適用した場合について説明したが、折畳み型携帯電話機２以外の、例えば２つの筐体同士が互に重なり合うそれらの端部間に設けられた支軸を中心にして、操作面と同一平面内で相互に回動できるような他の種類の携帯電話機や、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置のような、他の無線機や電子機器を載置する置台についても本発明は適用することができる。
【００３２】
また、上述した実施の形態では、支持部材２７が置台の本体部とは別体に構成されているが、支持部材と本体部とを一体構成して、上記実施の形態と同様に本体部を傾斜支持させるように構成してもよい。
【００３３】
また、上述した実施の形態では、支持部材や傾斜面などの構成を備えて本体部を傾斜させるようにしたが、これら全ての構成を具備しなくとも、少なくとも何れかの構成によって、上記実施の形態同様に本体部を支持する支持機構を備えていればよい。
【００３４】
なお、支持部材や本体部の形状についても上述した形状に限定されることなく、携帯端末装置の第２筐体が本体部の載置部に載置された状態で第１筐体に設けられた表示部が水平状態に対して第１筐体の幅方向に傾斜するように当該本体部を支持するように構成されていればよい。
【図面の簡単な説明】
【００３５】
【図１】本発明による充電置台２０の載置部２１の保持部２２に折畳み型携帯電話機１０の第２筐体１４を載置させた通常の状態を示す斜視図である。
【図２】図１における充電置台２０を裏返して斜め上から見た斜視図である。
【図３】折畳み型携帯電話機１０のメイン表示部１６の長辺が水平状態になり、短辺が水平状態に対して傾斜された状態となるように充電置台２０を傾けて支持した状態を示す斜視図である。
【図４】図３における充電置台２０をその底面側から見た斜視図である。
【図５】支持部材２７を示す斜視図である。
【図６】折畳み型携帯電話機１０を手で持つときのその姿勢を示す斜視図である。
【図７】折畳み型携帯電話機１０の第２筐体１４を図示してない充電置台上に載置させて図６における矢印Ｂ方向から見た折畳み型携帯電話機１０を示す図である。
【図８】図７における矢印Ｃ方向から見た折畳み型携帯電話機１０を示す図である。
【符号の説明】
【００３６】
１０    折畳み型携帯電話機
１２    操作部
１４    第２筐体
１５  ヒンジ
１６  メイン表示部
１８  第１筐体
２０  充電置台
２０ａ  本体部
２１  載置部
２２  保持部
２３  傾斜面
２５  溝
２７  支持部材
２７ａ  凹部
２７ｂ  凸条部
【図１】
0004547328.tif 000002
【図２】
0004547328.tif 000003
【図３】
0004547328.tif 000004
【図４】
0004547328.tif 000005
【図５】
0004547328.tif 000006
【図６】
0004547328.tif 000007
【図７】
0004547328.tif 000008
【図８】
0004547328.tif 000009